(57)【特許請求の範囲】
【請求項１】
記憶手段に一旦記憶された画像データを用紙の両面に任意の順番で出力することが可能な画像処理装置において、
画像データを記憶する記憶手段と、
前記記憶手段に記憶された画像データを、複数枚の用紙に両面記録モードで記録するために出力する際に、当該複数枚の用紙に両面記録モードで記録すべき画像データが、前記記憶手段に一部のみしか記憶されていない場合であって、ユーザが前記記憶手段に記憶された画像を出力することを選択した場合、
最終の用紙のおもて面に出力する画像の記憶が終了していないか、又は前記最終の用紙のおもて面及びうら面に出力する画像の記憶が終了しているときには、前記記憶手段に記憶が終了したすべての画像を出力し、
前記最終の用紙のおもて面に出力する画像の記憶が終了しているが、当該最終の用紙のうら面に出力する画像の記憶が終了していないときには、ユーザが前記記憶手段に記憶が終了した画像のすべてを出力することを選択すると、前記記憶手段に記憶が終了したすべての画像を出力し、ユーザが前記記憶手段に記憶が終了した画像のすべてを出力することを選択しないと、前記記憶手段に記憶が終了した画像のうち、前記最終の用紙のおもて面に出力すべき画像を除いた他のすべての画像を出力するように制御する制御手段とを備えたことを特徴とする画像処理装置。
【発明の詳細な説明】
【０００１】
【発明の属する技術分野】
この発明は、電子写真方式を採用したプリンタや複写機等の画像形成装置に用いられる画像処理装置に関し、特に、スキャナーやホストコンピュータ等から受信した画像データを一旦蓄積するハードディスク等の記憶手段を備えた画像処理装置に関するものである。
【０００２】
【従来の技術】
従来、上記電子写真方式を採用したプリンタや複写機等の画像形成装置においては、スキャナーやホストコンピュータ等から受信した画像データを、ハードディスク等の記憶手段に一旦蓄積し、このハードディスク等の記憶手段に蓄積された画像データを読み出して出力する画像処理装置が用いられている。この画像処理装置は、両面印刷を行う場合、用紙のおもて面に出力される画像と、用紙のうら面に出力される画像とを、順次ハードディスク等の記憶手段に蓄積していき、当該ハードディスク等の記憶手段に両面印刷を行うすべての画像を蓄積した後、両面印刷を行う際に、ハードディスク等の記憶手段に蓄積された画像データを、用紙のおもて面に出力される画像と、用紙のうら面に出力される画像とを、順次読み出して、画像形成装置に出力するようになっている。
【０００３】
かかる画像処理装置においては、両面印刷を行う際に、用紙のおもて面に出力される画像と、用紙のうら面に出力される画像とを、順次ハードディスク等の記憶手段に蓄積する途中に、記憶手段の記憶容量を越えた場合、またはホストコンピュータから送られてこない等の何らかの原因で、用紙のうら面に出力される画像が記憶手段に蓄積されなかった場合には、当該記憶手段に蓄積された画像をそのまま画像形成装置に出力すると、用紙のうら面に出力される画像の欠如によって、おもて面のみに画像が印刷された用紙を出力してしまうことになり、用紙の無駄が発生するという問題点を有していた。
【０００４】
そこで、かかる問題点に対処し得る技術としては、例えば、特開平１１−２８９４３６号公報や特開平１１−４６２７３号公報等に開示されたものが既に提案されている。
【０００５】
この特開平１１−２８９４３６号公報に係る画像形成装置は、原稿の画像を読み取る読取手段と、前記読み取られた画像を記憶する記憶手段と、前記記憶手段に記憶した画像を用紙に印刷する印刷手段と、を備え、前記記憶手段に記憶された画像を各頁毎に設定部数印刷するスタックモードを有し、一連の原稿群に対して行われるコピージョブにおいて、原稿の画像を読み取り当該読み取った画像を前記記憶手段に記憶するスキャンジョブと、前記記憶手段に記憶された画像を印刷出力するプリントジョブとを夫々非同期に独立して実行可能な画像形成装置において、前記スタックモードが設定されている場合には、前記スキャンジョブを実行中に前記記憶手段の残量が不足した場合に、原稿読み取り動作を中断し、前記記憶手段に記憶された原稿の１頁の設定部数分の印刷が完了した後に、前記記憶手段に記憶した前記１頁分の画像を消去して原稿の読み取り動作を再開するように構成したものである。
【０００６】
また、上記特開平１１−４６２７３号公報に係る画像形成装置は、原稿画像を記憶する第１の記憶手段と、前記第１の記憶手段に記憶された原稿画像を読み取り画像形成を行う第１の画像形成手段と、前記第１の記憶手段と外部機器とを接続する接続手段と、前記接続手段により接続される外部機器の第２の記憶手段と、前記第２の記憶手段に記憶された原稿画像を読み取り画像形成を行う第２の画像形成手段と、前記第１の記憶手段に前記原稿画像を記憶中にその記憶容量が満杯になったとき前記第２の記憶手段に前記第１の記憶手段に記憶し切れなかった残りの原稿画像を記憶するように制御する第１の制御手段と、前記第１の制御手段によって前記各記憶手段に記憶した原稿画像を前記第１の画像形成手段と前記第２の画像形成手段とにより選択的に読み出して画像形成するように制御する第２の制御手段とを具備するように構成したものである。
【０００７】
【発明が解決しようとする課題】
しかしながら、上記従来技術の場合には、次のような問題点を有している。すなわち、上記特開平１１−２８９４３６号公報に係る画像形成装置の場合には、記憶手段に記憶された画像を各頁毎に設定部数印刷するスタックモードが設定されている場合には、スキャンジョブを実行中に前記記憶手段の残量が不足した場合に、原稿読み取り動作を中断し、前記記憶手段に記憶された原稿の１頁の設定部数分の印刷が完了した後に、前記記憶手段に記憶した前記１頁分の画像を消去して原稿の読み取り動作を再開するように構成されている。そのため、上記特開平１１−２８９４３６号公報に係る画像形成装置の場合には、スキャンジョブを実行中に前記記憶手段の残量が不足した場合に、原稿読み取り動作の中断や、記憶手段に記憶された原稿の１頁の設定部数分の印刷が完了した後、前記記憶手段に記憶した前記１頁分の画像の消去動作や、原稿の読み取り動作の再開等を行わなければならず、画像処理動作が複雑になるという問題点を有している。
【０００８】
また、上記特開平１１−４６２７３号公報に係る画像形成装置の場合には、第１の記憶手段に原稿画像を記憶中にその記憶容量が満杯になったとき前記第２の記憶手段に前記第１の記憶手段に記憶し切れなかった残りの原稿画像を記憶するように制御する第１の制御手段と、前記第１の制御手段によって前記各記憶手段に記憶した原稿画像を前記第１の画像形成手段と前記第２の画像形成手段とにより選択的に読み出して画像形成するように制御する第２の制御手段とを具備するように構成したので、外部機器としてのＭＯ等の第２の記憶手段が必要となり、コストアップを招くとともに、記憶手段に画像データを蓄積中に、当該記憶手段が容量を越えた場合の問題点の根本的な解決とはなっていない。
【０００９】
そこで、この発明は、上記従来技術の問題点を解決するためになされたものであり、その目的とするところは、画像処理動作が複雑となったり、新たな第２の記憶手段が必要となってコストアップを招くことなく、記憶手段に画像データを蓄積中に、当該記憶手段が容量を越えた場合に、所定の画像が形成されていない不本位な用紙が出力されるのを防止することが可能な画像処理装置を提供することにある。
【００１０】
【課題を解決するための手段】
すなわち、請求項１に記載の発明は、記憶手段に一旦記憶された画像データを用紙の両面に任意の順番で出力することが可能な画像処理装置において、
画像データを記憶する記憶手段と、
前記記憶手段に記憶された画像データを、複数枚の用紙に両面記録モードで記録するために出力する際に、当該複数枚の用紙に両面記録モードで記録すべき画像データが、前記記憶手段に一部のみしか記憶されていない場合であって、ユーザが前記記憶手段に記憶された画像を出力することを選択した場合、
最終の用紙のおもて面に出力する画像の記憶が終了していないか、又は前記最終の用紙のおもて面及びうら面に出力する画像の記憶が終了しているときには、前記記憶手段に記憶が終了したすべての画像を出力し、
前記最終の用紙のおもて面に出力する画像の記憶が終了しているが、当該最終の用紙のうら面に出力する画像の記憶が終了していないときには、ユーザが前記記憶手段に記憶が終了した画像のすべてを出力することを選択すると、前記記憶手段に記憶が終了したすべての画像を出力し、ユーザが前記記憶手段に記憶が終了した画像のすべてを出力することを選択しないと、前記記憶手段に記憶が終了した画像のうち、前記最終の用紙のおもて面に出力すべき画像を除いた他のすべての画像を出力するように制御する制御手段とを備えたものである。
【００１１】
ここで、「複数枚の用紙に所定のモードで記録すべき画像データが、記憶手段に一部のみしか記憶されていない場合」とは、例えば、両面記録モードにおいて、ｎ枚の用紙の両面にすべて所定の画像を記録する場合に、２ｍ−１（ｍ＝１、・・・ｎ）の画像データまでが記憶手段に記憶されているが、２ｍの画像データが記憶手段に記憶されていない場合をいう。
【００１６】
【発明の実施の形態】
以下に、この発明の実施の形態について図面を参照して説明する。
【００１７】
実施の形態１
図２はこの発明の実施の形態１に係る画像処理装置を適用した画像形成装置としてのタンデム型のデジタルカラー複写機を示すものである。
【００１８】
このデジタルカラー複写機は、種々の機能を有しており、用紙の片面又は両面にフルカラーや白黒の画像を高速で形成することができるのは勿論のこと、原稿のイメージを分割して、分割したイメージ毎に用紙に印刷するページ連写印刷機能、複数の原稿イメージを、指定された面数および順番に並べて１枚の用紙に出力するＮアップ印刷機能、１枚の原稿イメージを、指定された倍率および出力サイズに従って複数枚の用紙に分割して出力するポスター印刷機能、連続した原稿セットから小冊子（中綴じ本）を作成するシグニチャ印刷機能などが実行可能となっている。
【００１９】
上記タンデム型のデジタルカラー複写機は、図２に示すように、画像形成装置本体１と、当該画像形成装置本体１の一側（図中、左側）に配置され、画像形成装置本体１に対して所定サイズの記録材としての記録用紙を給紙する給紙装置２と、当該給紙装置２の上部に載置された状態で設けられた画像読取装置３（Ｉｍａｇｅ  Ｉｎｐｉｔ  Ｔｅｒｍｉｎａｌ）と、給紙装置２と画像形成装置本体１の上部に渡って配置され、画像形成動作の条件設定等を行なう表示画面を備えたユーザーインターフェイス４（Ｕｓｅｒ  Ｉｎｔｅｒｆａｃｅ）と、前記画像形成装置本体１の他側（図中、右側）に配置され、当該画像形成装置本体１において画像が形成された記録用紙に対して、必要に応じて用紙のカールを取り除くデカール処理等の後処理を施した状態で排出する用紙排出装置５とを備えている。
【００２０】
図３は上記タンデム型のデジタルカラー複写機の画像形成装置本体１を示すものである。
【００２１】
この画像形成装置本体１には、例えば、上述した画像読取装置３で読み取られた原稿の画像データが入力される。また、上記画像形成装置本体１は、必要に応じて、ＬＡＮ等のネットワークを介して、図示しないパーソナルコンピュータやワークステーション等のホストコンピュータと接続され、当該ホストコンピュータなどからも画像データが送られてくるようになっている。
【００２２】
この実施の形態において、上記画像読取装置３は、図４に示すように、その上部に原稿を自動的にスキャナー３のプラテンガラス上まで、１枚ずつ必要に応じて表裏を反転した状態で搬送する図示しないＡＤＦ（Ａｕｔｏｍａｔｉｃ  Ｄｏｃｕｍｅｎｔ  Ｆｅｅｄｅｒ）を備えている。
【００２３】
上記ＡＤＦによって画像読取装置本体のプラテンガラス６上に搬送された図示しない原稿は、図４に示すように、画像読取装置３のスキャナー７によって読み取られる。このスキャナー７は、プラテンガラス６上に載置された原稿を照明する光源７ａと、この光源７ａから出射される光を原稿に向けて反射する反射板７ｂと、上記原稿からの反射光像をＣＣＤ等からなるイメージセンサ８へと導く複数枚のミラー７ｃ、７ｄ、７ｅと、これらのミラー７ｃ、７ｄ、７ｅによって導かれた画像光をイメージセンサ８上に結像するための結像レンズ７ｆとを備えている。これらの光源７ａ、ミラー７ｃ、７ｄ、７ｅ、結像レンズ７ｆあるいはイメージセンサ８等は、図４に示すように、スキャナー７として一体的に組み込まれており、このスキャナー７は、図示しない駆動機構によって、プラテンガラス６の下方を副走査方向に沿って、光源７ａやミラー７ｃ、７ｄ、７ｅが往復移動可能となっている。そして、スキャナー７は、プラテンガラス６の下方を光源７ａやミラー７ｃ、７ｄ、７ｅが副走査方向に移動する間に、プラテンガラス６上に載置された原稿の色材反射光像を、イメージセンサ８によって所定のドット密度（例えば、１６ドット／ｍｍ）で読み取るように構成されている。
【００２４】
上記画像読取装置３によって読み取られた原稿の色材反射光像は、図２に示すように、例えば、赤（Ｒ）、緑（Ｇ）、青（Ｂ）（各８ビット）の３色の原稿反射率データとして画像処理装置９（Ｉｍａｇｅ  Ｐｒｏｃｅｓｓｉｎｇ  Ｓｙｓｔｅｍ）に送られ、この画像処理装置９では、原稿の反射率データに対して、シェーデイング補正、位置ズレ補正、明度／色空間変換、ガンマ補正、枠消し、色/ 移動編集、及びイエロー（Ｙ）、マゼンタ（Ｍ）、シアン（Ｃ）、黒（Ｋ）（各８ｂｉｔ）の４色の原稿色材階調データへの変換等の所定の画像処理が施される。なお、上記画像処理装置９は、例えば、デジタルカラー複写機の画像形成装置本体１の内部に配置されるが、当該複写機の画像形成装置本体１の内部に配設されるが、当該デジタルカラー複写機の画像形成装置本体１の外部などに配設しても良いことは勿論である。
【００２５】
そして、上記の如く画像処理装置９でイエロー（Ｙ）、マゼンタ（Ｍ）、シアン（Ｃ）、黒（Ｋ）（各８ｂｉｔ）の４色の原稿色材階調データに変換された画像データは、次に述べるように、画像形成装置本体１の内部に配設された画像出力装置１０（Ｉｍａｇｅ  Ｏｕｔｐｕｔ  Ｔｅｒｍｉｎａｌ）へ出力される。
【００２６】
この画像出力装置１０は、用紙を反転させることにより、用紙の両面にカラー画像を形成することが可能となっており、いわゆる”トレイレス方式”を採用している。上記画像出力装置１０は、図３に示すように、イエロー（Ｙ）、マゼンタ（Ｍ）、シアン（Ｃ）、黒（Ｋ）に応じた４つの画像形成ユニット１１Ｙ、１１Ｍ、１１Ｃ、１１Ｋを備えており、これらの４つの画像形成ユニット１１Ｙ、１１Ｍ、１１Ｃ、１１Ｋは、画像形成装置本体１の内部に、水平方向に沿って一定の間隔をおいて並列的に配置されている。
【００２７】
これらの４つの画像形成ユニット１１Ｙ、１１Ｍ、１１Ｃ、１１Ｋは、すべて同様に構成されており、大別して、矢印方向に沿って所定の速度で回転する像担持体としての感光体ドラム１２と、この感光体ドラム１２の表面を一様に帯電する一次帯電手段としてのスコロトロン１３と、当該感光体ドラム１２の表面に所定の色に対応した画像を露光して静電潜像を形成する画像露光手段としてのＲＯＳ１４（Ｒａｓｔｅｒ  Ｏｕｔｐｕｔ  Ｓｃａｎｎｅｒ）と、感光体ドラム１２上に形成された静電潜像を所定の色のトナーで現像する現像器１５と、感光体ドラム１２上に残留した未転写トナーを除去するクリーニング装置１６とから構成されている。
【００２８】
そして、上記画像出力装置１０では、図３に示すように、画像処理装置９から出力されるイエロー（Ｙ）、マゼンタ（Ｍ）、シアン（Ｃ）、黒（Ｋ）（各８ｂｉｔ）の４色の原稿色材階調データが、イエロー（Ｙ）、マゼンタ（Ｍ）、シアン（Ｃ）、黒（Ｋ）の各色の画像形成ユニット１１Ｙ、１１Ｍ、１１Ｃ、１１ＫのＲＯＳ１４Ｙ、１４Ｍ、１４Ｃ、１４Ｋに送られ、これらのＲＯＳ１４Ｙ、１４Ｍ、１４Ｃ、１４Ｋでは、所定の色の原稿色材階調データに応じてレーザー光ＬＢによる画像露光が行われる。
【００２９】
上記ＲＯＳ１４Ｙ、１４Ｍ、１４Ｃ、１４Ｋでは、図３に示すように、半導体レーザー１７が原稿色材階調データに応じて変調され、この半導体レーザー１７からは、レーザー光ＬＢが階調データに応じて出射される。この半導体レーザー１７から出射されたレーザー光ＬＢは、反射ミラー１８、１９を介して回転多面鏡２０によって偏向走査され、再び反射ミラー１９及び複数枚の反射ミラー２１、２２を介して感光体ドラム１２上に走査露光されるようになっている。
【００３０】
上記画像処理装置９からは、上述したように、イエロー（Ｙ）、マゼンタ（Ｍ）、シアン（Ｃ）、黒（Ｋ）の各画像形成ユニット１１Ｙ、１１Ｍ、１１Ｃ、１１ＫのＲＯＳ１４Ｙ、１４Ｍ、１４Ｃ、１４Ｋに各色の画像データが順次出力され、これらのＲＯＳ１４Ｙ、１４Ｍ、１４Ｃ、１４Ｋから画像データに応じて変調されたレーザー光ＬＢが、それぞれの感光体ドラム１２の表面に走査露光されて静電潜像が形成される。上記各感光体ドラム１２上に形成された静電潜像は、各々の現像器１５Ｙ、１５Ｍ、１５Ｃ、１５Ｋによって、それぞれイエロー（Ｙ）、マゼンタ（Ｍ）、シアン（Ｃ）、黒（Ｋ）の各色のトナー像として現像される。
【００３１】
上記各画像形成ユニット１１Ｙ、１１Ｍ、１１Ｃ、１１Ｋの感光体ドラム１２上に、順次形成されたイエロー（Ｙ）、マゼンタ（Ｍ）、シアン（Ｃ）、黒（Ｋ）の各色のトナー像は、各画像形成ユニット１１Ｙ、１１Ｍ、１１Ｃ、１１Ｋの下方にわたって配置された中間転写体としての中間転写ベルト２５上に、一次転写ロール２６Ｙ、２６Ｍ、２６Ｃ、２６Ｋによって多重に転写される。この中間転写ベルト２５は、ドライブロール２７と、テンションロール２８と、ステアリングロール２９と、バックアップロール３０と、アイドルロール３１との間に一定のテンションで掛け回されており、図示しない定速性に優れた専用の駆動モーターによって回転駆動されるドライブロール２７により、矢印方向に沿って所定の速度で循環駆動されるようになっている。上記中間転写ベルト２５としては、例えば、可撓性を有するＰＥＴ等の合成樹脂フィルムを帯状に形成し、この帯状に形成された合成樹脂フィルムの両端を溶着等の手段によって接続することにより、無端ベルト状に形成したものが用いられる。
【００３２】
上記中間転写ベルト２５上に多重に転写されたイエロー（Ｙ）、マゼンタ（Ｍ）、シアン（Ｃ）、黒（Ｋ）の各色のトナー像は、バックアップロール３０に中間転写ベルト２５を介して圧接される二次転写ロール３２によって、圧力及び静電気力で記録用紙３３上に二次転写され、これらの各色のトナー像が転写された記録用紙３３は、２連の用紙吸引搬送ベルト３４、３５によって定着器３６へと搬送される。そして、上記各色のトナー像が転写された記録用紙３３は、定着器３６によって熱及び圧力で定着処理を受け、片面プリントの場合には、図２に示すように、そのまま画像形成装置本体１の外部に設けられた用紙排出装置５を介して、排出トレイ３７上に排出される。
【００３３】
その際、上記記録用紙３３は、図２に示すように、画像形成装置本体１の一側（図２中、左側）に配置された給紙装置２の複数の給紙カセット３８、３９、４０の何れかから、所定のサイズのものが給紙ローラ４１によって給紙され、用紙搬送用のローラ対４２を備えた給紙経路４３を介して、画像形成装置本体１の内部へと搬送される。この画像形成装置本体１の内部へと搬送された記録用紙３３は、複数の用紙搬送用のローラ対４４を備えた用紙搬送経路４５を介して、レジストローラ４６まで一端搬送されて停止される。そして、この記録用紙３３は、中間転写ベルト２５上に転写されたトナー像と同期して、所定のタイミングで回転駆動されるレジストローラ４６によって、中間転写ベルト２５上のバックアップロール３０と二次転写ロール３２が圧接する二次転写位置へと送出される。
【００３４】
また、上記画像形成装置本体１において、記録用紙３３の両面にカラー画像を記録する場合には、片面に画像が記録された記録用紙３３を、用紙排出装置５を介してそのまま排出トレイ３７上に排出せずに、当該画像形成装置本体１の排紙部に設けられた用紙反転搬送部材４７によって、記録用紙３３の搬送方向が下方へと変更される。そして、上記片面に画像が記録された記録用紙３３は、用紙反転搬送部材４７によって用紙排出装置５内の下端部に設けられた用紙反転経路４８へ一旦搬送されて停止され、当該記録用紙３３の搬送方向を反転した状態で、画像形成装置本体１の内部へと再度搬送され、当該画像形成装置本体１の底部に設けられた複数の用紙搬送用のローラ対４９を備えた用紙反転搬送経路５０を介して、給紙装置２の内部へと搬送される。その後、上記片面に画像が記録された転写用紙３３は、給紙装置２の内部に設けられた用紙反転搬送経路５１を介して、今度は裏面を上にした状態で通常の転写用紙３３と同様に、ふたたび複数の用紙搬送用のローラ対４４を備えた用紙搬送経路４５及びレジストロール４６を介して、所定のタイミングで中間転写ベルト２５上の二次転写位置へと搬送され、当該転写用紙３３の裏面に画像が記録されるようになっている。この表裏両面にカラー画像が記録された転写用紙３３は、用紙排出装置５を介して排出トレイ３７上に排出され、両面カラー画像記録工程が終了する。
【００３５】
ところで、上記の如く構成されるデジタルカラー複写機において、表裏両面にカラー画像等の画像を有する複数枚の原稿を、ＡＤＦを備えた画像読取装置によって連続的に読み取り、これら表裏両面にカラー画像等の画像を有する複数枚の原稿の画像を、両面複写する場合には、次のような画像形成動作が実行される。
【００３６】
まず、上記デジタルカラー複写機では、ＡＤＦを備えた画像読取装置３によって、表裏両面にカラー画像等の画像を有する複数枚の原稿の画像が連続的に読み取られる。上記画像読取装置２によって読み取られた複数枚の原稿の画像データは、後に詳述するように、画像処理装置９における画像処理を経て、画像出力装置１０に送られ、当該画像出力装置１０によって記録用紙３３上に画像が形成される。
【００３７】
１枚目の原稿の第１面の画像は、給紙装置２から給紙される記録用紙３３の第１面に記録されるが、当該第１面に画像が記録された１枚目の記録用紙３３が、上述したように、用紙反転搬送部材４７→用紙排出装置５内の用紙反転経路４８→用紙反転搬送経路５０→用紙反転搬送経路５１→用紙搬送経路４５及びレジストロール４６を介して、表裏を反転した状態で中間転写ベルト２５上の二次転写位置へと再度搬送されるまでに、ある程度の時間を要する。そこで、上記デジタルカラー複写機では、生産性を向上するために、第１面に画像が記録された１枚目の記録用紙３３が、中間転写ベルト２５上の二次転写位置へと再度搬送され、同一の記録用紙３３の第２面に画像を記録するまでの間に、最大８回の画像形成が可能となるように設定されている。
【００３８】
すなわち、このデジタルカラー複写機では、図５に示すように、１枚目の記録用紙３３の第１面に画像を記録した後、１枚の記録用紙３３に相当するスペースを空けた状態で、２〜５枚目の記録用紙３３2 〜３３5 の第１面に画像を印字し、その後、１枚目の記録用紙３３1 の第２面、６枚目の記録用紙３３6 の第１面、２枚目の記録用紙の第２面、７枚目の記録用紙３３7 の第１面というように、１〜２面を交互に印字するように構成されている。
【００３９】
例えば、１１枚の原稿の画像を両面複写する場合には、画像イメージの出力順序は、図５に示すような順序になる。
【００４０】
図６は、上記のように１１枚の原稿の画像を両面複写する場合に、デジタルカラー複写機の内部で記録用紙が搬送される状態を示したものである。
【００４１】
この図６では、１枚目の記録用紙３３1 の第１面及び第２面、並びに６枚目の記録用紙３３6 の第１面に印字が既に終了しており、続いて２枚目の記録用紙３３2 の第２面に画像の印字を行う直前の状態を示している。この図６から判るように、１枚目の記録用紙３３1 の第１面及び第２面に印字が終了した状態では、その直前に５枚目の記録用紙３３5 の第１面に印字が終了しており、当該第１面に印字が終了した５枚目の記録用紙３３5 は、用紙反転搬送部材４７から用紙排出装置５内の用紙反転経路４８に位置している。また、それに先立って、第１面に印字が終了した３枚目及び４枚目の記録用紙３３3 、３３4 は、用紙反転搬送経路５０に位置している。さらに、まさに第２面に画像が印字される直前の２枚目の記録用紙３３2 の後には、連続して、新たな７枚目の記録用紙３３7 が給紙装置２から、用紙搬送経路４５へと給紙されつつある。
【００４２】
このように、上記デジタルカラー複写機では、両面用の中間トレイを用いることなく、記録用紙３３の両面に可能な限り連続して画像の形成を行うことにより、高い生産性を実現することができるように構成されているが、その結果、画像出力装置１０における画像の出力順序が、１枚目の記録用紙の第１面、１枚目の記録用紙の第２面、２枚目の記録用紙の第１面、２枚目の記録用紙の第２面、・・・・・というように、記録用紙の枚数及び表裏の順にはならず、図５に示すように、例えば、１枚目の記録用紙３３1 の第１面、２〜５枚目の記録用紙３３2 〜３３5 の第１面、１枚目の記録用紙３３1 の第２面、６枚目の記録用紙３３6 の第１面、２枚目の記録用紙３３2 の第２面、７枚目の記録用紙３３7 の第１面というように、予め設定された所定の順序で記録用紙３３の１〜２面を交互に印字するようになっている。
【００４３】
ところで、この実施の形態では、画像データを記憶する記憶手段を備え、前記記憶手段に一旦記憶された画像データを任意の順番で出力することが可能な画像処理装置において、前記記憶手段に記憶された画像データを、１枚又は複数枚の用紙に所定のモードで記録するために出力する際に、当該１枚又は複数枚の用紙に所定のモードで記録すべき画像データが、前記記憶手段に一部のみしか記憶されていない場合には、用紙に所定のモードで画像を記録することができない画像データを出力しないように設定したものである。
【００４４】
また、この実施の形態では、前記１枚又は複数枚の用紙に記録すべき所定のモードが、両面記録モード、ページ連写記録モード、Ｎアップ記録モード、ポスター記録モード、シグニチャ記録モードのうち、両面記録モードからなるように構成したものである。
【００４５】
図１は上記の如く構成されたデジタルカラー複写機に適用された本発明に係る画像処理装置の一実施の形態を示すものである。
【００４６】
図１において、７は画像読取装置３のスキャナーを示すものであり、このスキャナーによって読み取られた原稿の画像データは、画像処理装置９に入力される。この画像処理装置９は、スキャナー７から入力される原稿の反射率データに対して、シェーデイング補正、位置ズレ補正、明度／色空間変換、ガンマ補正、枠消し、色/ 移動編集、及びイエロー（Ｙ）、マゼンタ（Ｍ）、シアン（Ｃ）、黒（Ｋ）の４色の原稿色材階調データへの変換等の所定の画像処理を行う画像処理部６０と、画像データを記憶する画像記憶部６１とを備えている。上記画像記憶部６１は、原稿の画像データをイエロー（Ｙ）、マゼンタ（Ｍ）、シアン（Ｃ）、黒（Ｋ）の各色毎に記憶する４つの画像記憶部６１Ｙ、６１Ｍ、６１Ｃ、６１Ｋからなる。
【００４７】
上記スキャナー７から入力された原稿の画像データは、画像処理部６０によって、シェーデイング補正、位置ズレ補正、明度／色空間変換、ガンマ補正、枠消し、色/ 移動編集等の所定の画像処理が施された後、イエロー（Ｙ）、マゼンタ（Ｍ）、シアン（Ｃ）、黒（Ｋ）の４色の画像データに変換され、画像処理装置９の各色に対応した画像記憶部６１Ｙ、６１Ｍ、６１Ｃ、６１Ｋに送られる。これらの画像記憶部６１Ｙ、６１Ｍ、６１Ｃ、６１Ｋは、イエロー（Ｙ）、マゼンタ（Ｍ）、シアン（Ｃ）、黒（Ｋ）の各色に対応して、合計４つ設けられているが、これらの各色の画像記憶部６１Ｙ、６１Ｍ、６１Ｃ、６１Ｋは、すべて同様に構成されている。
【００４８】
上記各色の画像記憶部６１Ｙ、６１Ｍ、６１Ｃ、６１Ｋは、画像処理部６０から出力される対応する色の画像データを圧縮する圧縮器６２と、この圧縮器６２によって圧縮され、イメージバス６３を介して送られてくる画像データを一時記憶し、後述するハードディスク等の記憶装置と同期をとって当該記憶装置に画像情報を記憶させたり、当該記憶装置から読み出した画像データを一時記憶するための一時記憶手段としてのページバッファ６４と、このページバッファ６４から送られてくる画像データを記憶するためのハードディスク６５と、このハードディスク６５の記憶動作を制御するためのハードディスクコントローラ６６と、上記ハードディスク６５に圧縮して記憶された画像データを伸張して、元の画像情報に変換して画像出力装置１０に出力する伸張器６７とを備えている。
【００４９】
尚、１０はこの伸張器６７によって伸張された画像データに必要に応じて二次的処理を施した後、画像の記録を行って出力する前記画像出力装置である。
【００５０】
一方、図１において、６８はデジタルカラー複写機全体の動作を制御するシステムコントローラであり、このシステムコントローラ６８は、上記スキャナー７、画像処理部６０、画像記憶部６１、画像出力装置１０等の動作を制御するためのＣＰＵ６９と、このＣＰＵ６９が実行する種々の制御動作で使用されるパラメ−タ等を記憶するためのメモリ７０と、上記ＣＰＵ６９で実行される制御動作を予め記録したプログラムを記憶するためのＲＯＭ７１と、外部のユーザーインターフェイス４等とデータのやり取りを外部インターフェイス７２と、これらＣＰＵ６９、メモリ７０、ＲＯＭ７１、及び外部インターフェイス７２と、画像処理装置９とを接続するシステムバス７３とを備えている。
【００５１】
以上の構成において、この実施の形態に係るデジタルカラー複写機では、次のようにして、画像処理動作が複雑となったり、新たな第２の記憶手段が必要となってコストアップを招くことなく、記憶手段に画像データを蓄積中に、当該記憶手段が容量を越えた場合に、所定の画像が形成されていない不本位な用紙が出力されるのを防止することが可能となっている。
【００５２】
すなわち、上記デジタルカラー複写機で原稿の両面複写を行う場合には、図２及び図３に示すように、オペレータが複写したい原稿を、画像読取装置３の上部に配置される図示しないＡＤＦの原稿送りトレイ上にセットするとともに、どのような複写動作を行うかをＵＩ４のディスプレーやキーボード等によって指定し、スタートボタンを押すことにより複写動作が開始する。
【００５３】
すると、上記ＡＤＦの原稿送りトレイ上にセットされた原稿は、図４に示すように、１ページ目の原稿から順にＡＤＦによって画像読取装置本体のプラテンガラス６上に搬送され、原稿の両面の画像がスキャナー７によって順次読み取られる。上記スキャナー７で読み取られた原稿の画像データは、図１に示すように、画像処理部６０によって、シェーデイング補正、位置ズレ補正、明度／色空間変換、ガンマ補正、枠消し、色/ 移動編集、イエロー（Ｙ）、マゼンタ（Ｍ）、シアン（Ｃ）、黒（Ｋ）の４色の画像データへの変換等の所定の画像処理が施された後、各色に対応した画像記憶部６１Ｙ、６１Ｍ、６１Ｃ、６１Ｋに送られる。上記イエロー（Ｙ）、マゼンタ（Ｍ）、シアン（Ｃ）、黒（Ｋ）の各画像データは、圧縮器６２によって圧縮処理され、ページバッファ６４の入力用の記憶領域７５に一時記憶された後、イメージバス６３を介してハードディスク６５に記憶される。上記の如くして、画像読取装置２のスキャナー７によって順次読み取られた一連の原稿の表裏両面の画像データは、ハードディスク６５にすべて記憶される。
【００５４】
それに先立って、ＣＰＵ６９は、図７に示すように、両面印刷処理を開始すると、上述したように、記憶装置としてのハードディスク６５に一連の原稿の表裏両面の画像データを記憶して蓄積する（ステップ１０１）。次に、ＣＰＵ６９は、記憶装置の制限を越えたか否かを判別し（ステップ１０２）、記憶装置の制限を越えていない場合には、現在蓄積している画像が最終画像か否かを判別する（ステップ１０８）。そして、現在蓄積している画像が最終画像でない場合には、ステップ１０１に戻り、記憶装置としてのハードディスク６５に一連の原稿の表裏両面の画像データを記憶して蓄積する動作を実行する。また、現在蓄積している画像が最終画像である場合には、蓄積された画像のすべてを出力して（ステップ１０９）、処理を終了する。
【００５５】
一方、ＣＰＵ６９は、記憶装置の制限を越えたことを判別した場合には、蓄積された画像を出力するか否かを、ユーザーインターフェイス４等に表示することにより、ユーザーに選択を求める（ステップ１０３）。そして、ユーザーが蓄積された画像を出力しないことを選択した場合には、記憶装置としてのハードディスク６５に蓄積された画像のすべてを出力せずに（ステップ１１０）、処理を終了する。
【００５６】
次に、ユーザーが蓄積された画像を出力することを選択した場合には、ＣＰＵ６９は、用紙３３のおもて面に出力する画像の蓄積は終了しているか否かを判別し（ステップ１０４）、用紙３３のおもて面に出力する画像の蓄積が終了していない場合には、蓄積された画像のすべてを出力して（ステップ１０９）、処理を終了する。また、ＣＰＵ６９は、用紙３３のおもて面に出力する画像の蓄積が終了している場合には、用紙３３のうら面に出力する画像の蓄積が終了しているか否かを判別し（ステップ１０５）、用紙３３のうら面に出力する画像の蓄積が終了している場合には、蓄積された画像のすべてを出力して（ステップ１０９）、処理を終了する。
【００５７】
さらに、ＣＰＵ６９は、用紙３３のうら面に出力する画像の蓄積が終了していない場合には、蓄積された画像のすべてを出力するか否かを、ユーザーインターフェイス４等に表示することにより、ユーザーに選択を求める（ステップ１０６）。そして、ユーザーが蓄積された画像のすべてを出力することを選択した場合には、蓄積された画像のすべてを出力して（ステップ１０９）、処理を終了する。また、ユーザーが蓄積された画像のすべてを出力しないことを選択した場合には、蓄積された画像の最終の用紙３３のおもて面に出力する以外の画像を出力して（ステップ１０７）、処理を終了する。
【００５８】
このように、上記実施の形態の場合には、一連の原稿の表裏両面の画像を複写する際に、当該一連の原稿の表裏両面の画像データのうち、その一部が記憶装置としてのハードディスク６５の制限を越えて蓄積できなかった場合には、ユーザーに蓄積された画像を出力するか否かを問い合わせ、ユーザーが蓄積された画像を出力することを選択した場合には、用紙のおもて面に出力する画像の蓄積が終了していないときは、それ以前に蓄積された画像すべてを出力し、用紙のおもて面に出力する画像の蓄積は終了しているが、用紙のうら面に出力する画像の蓄積は終了していない場合には、再度ユーザーに蓄積された画像を出力するか否かを問い合わせ、ユーザーが蓄積された画像のすべてを出力することを選択した場合には、それ以前のすべての画像と、最後の用紙のおもて面にのみ画像を出力し、ユーザーが蓄積された画像のすべてを出力することを選択しなかった場合には、それ以前のすべての画像を出力して、最後の用紙に相当するおもて面の画像は出力しないようになっている。
【００５９】
そのため、上記実施の形態によれば、画像処理動作が複雑となったり、新たな第２の記憶手段が必要となってコストアップを招くことなく、記憶手段に画像データを蓄積中に、当該記憶手段が容量を越えた場合に、所定の画像が形成されていない不本位な用紙が出力されるのを防止することが可能となっている。
【００６０】
なお、上記実施の形態によれば、記憶手段に画像データを蓄積中に、当該記憶手段が容量を越えた場合について説明したが、何らかの原因で用紙のうら面に出力される画像が、記憶装置に蓄積されていなかった場合も、同様の処理を行うようになっている。
【００６１】
実施の形態２
図８はこの発明の実施の形態２を示すものであり、前記実施の形態と同一の部分には同一の符号を付して説明すると、この実施の形態２では、１枚又は複数枚の用紙に記録すべき所定のモードが、両面記録モードではなく、ページ連写記録モードからなるように構成されている。
【００６２】
ここで、「ページ連写記録モード」とは、図９に示すように、原稿のイメージを分割して、分割したイメージ毎に用紙に印刷するモードをいう。
【００６３】
すなわち、この実施の形態２では、ＣＰＵ６９は、図８に示すように、ページ連写印刷処理を開始すると、図９に示すように、記憶装置としてのハードディスク６５に、右開き原稿又は左開き原稿の右ページ及び左ページの画像データを記憶して蓄積する（ステップ２０１）。次に、ＣＰＵ６９は、記憶装置の制限を越えたか否かを判別し（ステップ２０２）、記憶装置の制限を越えていない場合には、現在蓄積している画像が最終画像か否かを判別する（ステップ２０８）。そして、現在蓄積している画像が最終画像でない場合には、ステップ２０１に戻り、記憶装置としてのハードディスク６５に右開き原稿又は左開き原稿の各ページの画像データを記憶して蓄積する動作を実行する。また、現在蓄積している画像が最終画像である場合には、蓄積された画像のすべてを出力して（ステップ２０９）、処理を終了する。
【００６４】
一方、ＣＰＵ６９は、記憶装置の制限を越えたことを判別した場合には、蓄積された画像を出力するか否かを、ユーザーインターフェイス４等に表示することにより、ユーザーに選択を求める（ステップ２０３）。そして、ユーザーが蓄積された画像を出力しないことを選択した場合には、記憶装置としてのハードディスク６５に蓄積された画像のすべてを出力せずに（ステップ２１０）、処理を終了する。
【００６５】
次に、ユーザーが蓄積された画像を出力することを選択した場合には、ＣＰＵ６９は、原稿の画像Ａ（例えば、左ページ）の蓄積は終了しているか否かを判別し（ステップ２０４）、原稿の画像Ａ（例えば、左ページ）の蓄積が終了していない場合には、蓄積された画像のすべてを出力して（ステップ２０９）、処理を終了する。また、ＣＰＵ６９は、原稿の画像Ａ（例えば、左ページ）の蓄積が終了している場合には、原稿の画像Ｂ（例えば、右ページ）の蓄積が終了しているか否かを判別し（ステップ２０５）、原稿の画像Ｂ（例えば、右ページ）の蓄積が終了している場合には、蓄積された画像のすべてを出力して（ステップ２０９）、処理を終了する。
【００６６】
さらに、ＣＰＵ６９は、原稿の画像Ｂ（例えば、右ページ）の蓄積が終了していない場合には、蓄積された画像のすべてを出力するか否かを、ユーザーインターフェイス４等に表示することにより、ユーザーに選択を求める（ステップ２０６）。そして、ユーザーが蓄積された画像のすべてを出力することを選択した場合には、蓄積された画像のすべてを出力して（ステップ２０９）、処理を終了する。また、ユーザーが蓄積された画像のすべてを出力しないことを選択した場合には、蓄積された画像のうち、最終の原稿の画像Ａ（例えば、左ページ）以外の画像を出力して（ステップ２０７）、処理を終了する。
【００６７】
このように、上記実施の形態の場合には、右開き原稿又は左開き原稿の各ページの画像を複写する際に、当該右開き原稿又は左開き原稿の各ページの画像データのうち、その一部が記憶装置としてのハードディスク６５の制限を越えて蓄積できなかった場合には、ユーザーに蓄積された画像を出力するか否かを問い合わせ、ユーザーが蓄積された画像を出力することを選択した場合には、原稿の画像Ａ（例えば、左ページ）の蓄積が終了していないときは、それ以前に蓄積された画像すべてを出力し、原稿の画像Ａ（例えば、左ページ）の蓄積は終了しているが、原稿の画像Ｂ（例えば、右ページ）の蓄積は終了していない場合には、再度ユーザーに蓄積された画像を出力するか否かを問い合わせ、ユーザーが蓄積された画像のすべてを出力することを選択した場合には、それ以前のすべての画像と、最後の原稿の画像Ａ（例えば、左ページ）のみ画像を出力し、ユーザーが蓄積された画像のすべてを出力することを選択しなかった場合には、それ以前のすべての画像を出力して、最後の原稿の画像Ａ（例えば、左ページ）は出力しないようになっている。
【００６８】
そのため、上記実施の形態によれば、画像処理動作が複雑となったり、新たな第２の記憶手段が必要となってコストアップを招くことなく、記憶手段に画像データを蓄積中に、当該記憶手段が容量を越えた場合に、所定の画像が形成されていない不本位な用紙が出力されるのを防止することが可能となっている。
【００６９】
なお、上記実施の形態によれば、記憶手段に画像データを蓄積中に、当該記憶手段が容量を越えた場合について説明したが、何らかの原因で分割したイメージの一方が、記憶装置に蓄積されていなかった場合も、同様の処理を行うようになっている。
【００７０】
その他の構成及び作用は、前記実施の形態１と同様であるので、その説明を省略する。
【００７１】
実施の形態３
図１０はこの発明の実施の形態３を示すものであり、前記実施の形態と同一の部分には同一の符号を付して説明すると、この実施の形態３では、１枚又は複数枚の用紙に記録すべき所定のモードが、両面記録モードではなく、Ｎアップ記録モードからなるように構成されている。
【００７２】
ここで、「Ｎアップ記録モード」とは、図１１に示すように、複数の原稿イメージを、指定された面数および順番に並べて１枚の用紙に印刷するモードをいう。なお、指定された面数としては、図１２に示すように、例えば、２面、４面、８面などがある。
【００７３】
すなわち、この実施の形態３では、ＣＰＵ６９は、図１０に示すように、Ｎ−アップ印刷処理を開始すると、図１１に示すように、記憶装置としてのハードディスク６５に、原稿の画像データを記憶して蓄積する（ステップ３０１）。次に、ＣＰＵ６９は、記憶装置の制限を越えたか否かを判別し（ステップ３０２）、記憶装置の制限を越えてしない場合には、現在蓄積している画像が最終画像か否かを判別する（ステップ３０７）。そして、現在蓄積している画像が最終画像でない場合には、ステップ３０１に戻り、記憶装置としてのハードディスク６５に原稿の画像データを記憶して蓄積する動作を実行する。また、現在蓄積している画像が最終画像である場合には、蓄積された画像のすべてを出力して（ステップ３０８）、処理を終了する。
【００７４】
一方、ＣＰＵ６９は、記憶装置の制限を越えたことを判別した場合には、蓄積された画像を出力するか否かを、ユーザーインターフェイス４等に表示することにより、ユーザーに選択を求める（ステップ３０３）。そして、ユーザーが蓄積された画像を出力しないことを選択した場合には、記憶装置としてのハードディスク６５に蓄積された画像のすべてを出力せずに（ステップ３０９）、処理を終了する。
【００７５】
次に、ユーザーが蓄積された画像を出力することを選択した場合には、ＣＰＵ６９は、蓄積された画像数が指定されたＮ数（両面印刷の場合は２Ｎ数）で割り切れるか否かを判別し（ステップ３０４）、蓄積された画像数が指定されたＮ数（両面印刷の場合は２Ｎ数）で割り切れる場合には、蓄積された画像のすべてを出力して（ステップ３０８）、処理を終了する。また、ＣＰＵ６９は、蓄積された画像数が指定されたＮ数（両面印刷の場合は２Ｎ数）で割り切れない場合には、蓄積された画像のすべてを出力するか否かを、ユーザーインターフェイス４等に表示することにより、ユーザーに選択を求める（ステップ３０５）。そして、ユーザーが蓄積された画像のすべてを出力することを選択した場合には、蓄積された画像のすべてを出力して（ステップ３０８）、処理を終了する。また、ユーザーが蓄積された画像のすべてを出力しないことを選択した場合には、図１３に示すように、蓄積された画像の割り切れなかったあまりの画像以外の画像を出力して（ステップ３０６）、処理を終了する。
【００７６】
なお、上記実施の形態によれば、記憶手段に画像データを蓄積中に、当該記憶手段が容量を越えた場合について説明したが、何らかの原因で指定されたＮ数 (両面印刷の場合は２Ｎ数）で割り切れる画像数分が、記憶装置に蓄積されていなかった場合も、同様の処理を行うようになっている。
【００７７】
その他の構成及び作用は、前記実施の形態１と同様であるので、その説明を省略する。
【００７８】
実施の形態４
図１４はこの発明の実施の形態４を示すものであり、前記実施の形態と同一の部分には同一の符号を付して説明すると、この実施の形態４では、１枚又は複数枚の用紙に記録すべき所定のモードが、両面記録モードではなく、ポスター印刷機能モードからなるように構成されている。
【００７９】
ここで、「ポスター印刷機能モード」とは、図１５に示すように、１枚の原稿イメージを、指定された倍率および出力サイズに従って複数枚の用紙に分割して出力するモードをいう。
【００８０】
すなわち、この実施の形態４では、ＣＰＵ６９は、図１４に示すように、記憶装置としてのハードディスク６５に、原稿の画像データを記憶して蓄積する（ステップ５０１）。次に、ＣＰＵ６９は、記憶装置の制限を越えたか否かを判別し（ステップ５０２）、記憶装置の制限を越えてない場合には、現在蓄積している画像が最終画像か否かを判別する（ステップ５０５）。そして、現在蓄積している画像が最終画像でない場合には、ステップ５０１に戻り、記憶装置としてのハードディスク６５に原稿の画像データを記憶して蓄積する動作を実行する。また、現在蓄積している画像が最終画像である場合には、蓄積された画像のすべてを出力して（ステップ５０４）、処理を終了する。
【００８１】
一方、ＣＰＵ６９は、記憶装置の制限を越えたことを判別した場合には、蓄積された画像を出力するか否かを、ユーザーインターフェイス４等に表示することにより、ユーザーに選択を求める（ステップ５０３）。そして、ユーザーが蓄積された画像を出力しないことを選択した場合には、記憶装置としてのハードディスク６５に蓄積された画像のすべてを出力せずに（ステップ５０６）、処理を終了する。
【００８２】
次に、ユーザーが蓄積された画像を出力することを選択した場合には、ＣＰＵ６９は、蓄積された画像のすべてを出力して（ステップ５０４）、処理を終了する。
【００８３】
なお、上記実施の形態によれば、記憶手段に画像データを蓄積中に、当該記憶手段が容量を越えた場合について説明したが、何らかの原因で画像が、記憶装置に蓄積されていなかった場合も、同様の処理を行うようになっている。
【００８４】
その他の構成及び作用は、前記実施の形態１と同様であるので、その説明を省略する。
【００８５】
実施の形態５
図１６はこの発明の実施の形態５を示すものであり、前記実施の形態と同一の部分には同一の符号を付して説明すると、この実施の形態５では、１枚又は複数枚の用紙に記録すべき所定のモードが、両面記録モードではなく、シグニチャ記録モードからなるように構成されている。
【００８６】
ここで、「シグニチャ記録モード」とは、図１７に示すように、連続した原稿セットから小冊子（中綴じ本）を作成するモードをいう。
【００８７】
すなわち、この実施の形態５では、図１６に示すように、ユーザーインターフェイス４等によって、対象とするセグメント（シグニチャの構成単位をセグメントという。）の処理を設定する（ステップ６０１）。すると、ＣＰＵ６９は、記憶装置としてのハードディスク６５に、セグメントの種類に応じて原稿の画像データを記憶して蓄積する（ステップ６０２）。次に、ＣＰＵ６９は、記憶装置の制限を越えたか否かを判別し（ステップ６０３）、記憶装置の制限を越えてない場合には、現在蓄積している画像が対象とするセグメントの最終画像か否かを判別する（ステップ６０７）。そして、現在蓄積している画像が対象セグメントの最終画像でない場合には、ステップ６０２に戻り、記憶装置としてのハードディスク６５に原稿の画像データを記憶して蓄積する動作を実行する。また、現在蓄積している画像が対象セグメントの最終画像である場合には、最終セグメントか否かを判別し（ステップ６０８）、最終セグメントでない場合には、ステップ６０１に戻り、最終セグメントである場合には、蓄積された画像のすべてを出力して（ステップ６０９）、処理を終了する。
【００８８】
一方、ＣＰＵ６９は、記憶装置の制限を越えたことを判別した場合には、蓄積された画像を出力するか否かを、ユーザーインターフェイス４等に表示することにより、ユーザーに選択を求める（ステップ６０４）。そして、ユーザーが蓄積された画像を出力しないことを選択した場合には、記憶装置としてのハードディスク６５に蓄積された画像のすべてを出力せずに（ステップ６１０）、処理を終了する。
【００８９】
次に、ユーザーが蓄積された画像を出力することを選択した場合には、ＣＰＵ６９は、対象セグメントのすべての画像の蓄積が終了しているか否かを判別し（ステップ６０５）、対象セグメントのすべての画像の蓄積が終了している場合には、蓄積された画像のすべてを出力して（ステップ６０９）、処理を終了する。また、ＣＰＵ６９は、対象セグメントのすべての画像の蓄積が終了していない場合には、蓄積された画像のうち、最終セグメント以外のセグメントの画像を出力して（ステップ６０６）、処理を終了する。
【００９０】
なお、上記実施の形態によれば、記憶手段に画像データを蓄積中に、当該記憶手段が容量を越えた場合について説明したが、何らかの原因ですべての画像が、記憶装置に蓄積されていなかった場合も、同様の処理を行うようになっている。
【００９１】
その他の構成及び作用は、前記実施の形態１と同様であるので、その説明を省略する。
【００９２】
実施の形態６
図１８はこの発明の実施の形態６を示すものであり、前記実施の形態と同一の部分には同一の符号を付して説明すると、この実施の形態６では、電源を切ってもジョブを保存可能な画像処理装置において、電源をオフされた時、対象ジョブの実行状態によってジョブを保存するかどうかを判断するように構成したものである。
【００９３】
また、この実施の形態６では、例えば、電源を切ってもジョブを保存可能な画像処理装置において、電源をオフされた時、ソフトウエアスイッチによる電源切断か、ハードウエアスイッチによる電源切断かによってジョブを保存するかどうかを判断するように構成される。
【００９４】
さらに、この実施の形態６では、例えば、電源を切ってもジョブを保存可能な画像処理装置において、電源をオフされた時、対象ジョブの実行状態及び、ソフトウエアスイッチによる電源切断か、ハードウエアスイッチによる電源切断かによってジョブを保存するかどうかを判断するように構成される。
【００９５】
また更に、この実施の形態６では、例えば、ジョブを保存するかどうかを電源オフ時に判断するように構成される。
【００９６】
さらに、この実施の形態６では、例えば、ジョブを保存するかどうかを電源オフ時に操作者に問い合わせるように構成される。
【００９７】
又、この実施の形態６では、例えば、電源オン時にジョブが保存されていた時、このジョブを自動的に継続するように構成される。
【００９８】
更に、この実施の形態６では、例えば、電源オン時にジョブが保存されている時、このジョブを継続するか操作者に問い合わせるように構成される。
【００９９】
ところで、電源を切ってもジョブを不揮発メモリに保存する画像処理装置では、ジョブが残っている状態で電源を切る際、次回の電源投入時に無条件にジョブを再開されてしまうと、セキュリティ上問題があったり、不必要なジョブを実行してしまうという問題点があった。
【０１００】
この時、ジョブを実行されない様にするには、電源をオフする際にジョブの削除を行っておく必要があり、手間がかかるという問題点があった。
【０１０１】
そこで、この実施の形態６は、電源を切ってもジョブを保存可能な画像処理装置において、煩雑な操作が不要で、次回の電源投入時に、不本位にジョブが再開されたり、不必要なジョブを実行するのを防止可能となっている。
【０１０２】
すなわち、この実施の形態６に係るデジタルカラー複写機では、図２及び図３に示すように、スキャナー７により原稿をスキャンし、このスキャナー７によってスキャンされた原稿の画像データを圧縮してページバッファ６４に転送し、ハードディスク６５に蓄積する動作（＝スキャンジョブ）や、ハードディスク６５に蓄積された画像データをページバッファ６４に転送し、画像出力装置１０に送って用紙３３に印字する動作（＝プリントジョブ）等のジョブが実行可能となっている。
【０１０３】
また、上記デジタルカラー複写機では、ジョブをそれぞれコンカレントに実行可能であり、スキャンジョブが終了したら、このジョブがプリントジョブとして実行されている間に、新たなスキャンジョブが実行可能となっている。
【０１０４】
さらに、割り込みジョブとして、実行中のスキャンジョブ、プリントジョブを中断させて、別途スキャンジョブ等を実行することができる（＝割り込みスキャンジョブ、割り込みプリントジョブ）。
【０１０５】
そして、それぞれのジョブは、ＣＰＵ６９によって、動作状態に応じて、スキャンジョブ中、プリント待ち中、プリントジョブ中、割り込みスキャンジョブ中、割り込みプリントジョブ中、等の状態をもって管理される。
【０１０６】
通常のジョブは、スキャンジョブ中→プリント待ち中→プリントジョブ中と遷移し、ジョブが終了した時点で消滅する。
【０１０７】
このとき、ジョブが存在する状態でソフトウエアスイッチにより電源が切られると、ＣＰＵ６９は、ジョブの実行状態によってジョブを保存するか否かを判断する。ジョブが存在する状態でソフトウエアスイッチにより電源が切られると、例えば、図１８に示すように、スキャン中のジョブは保存せず、プリント待ち中、プリント中のジョブは保存し、新たに電源が入れられた時に自動的に実行するように構成されている。
【０１０８】
これらの判断状態をジョブの状態によって判断することで、確定したジョブは、電源オン／オフによって消去されず、電源オンの際にスキャンジョブのやり直しが不要であり、また、確定されていない状態のスキャンジョブが実行されて無駄な出力をすることも無い。
【０１０９】
また、ジョブが存在する状態でハードウエアスイッチにより電源が切られると、例えばジョブの実行状態に関わらず、全てのジョブを削除するようになっている。これにより、次回に電源を入れられた際に全てのジョブが不必要な場合でも、操作者が明示的にジョブの削除動作を行うことがなく、ジョブを一括して削除することが可能である。また、実行中だったジョブを継続する際は、電源オンの際にジョブを継続するかを操作者に問い合わせるように構成しても良い。
【０１１０】
このように、上記実施の形態６によれば、電源を切ってもジョブが保存される画像処理装置において、ジョブが存在する間に電源が切られた際、次回の電源投入時にジョブを継続して実行することができ、かつ不必要なジョブを電源切断の際に容易に削除することができる。
【０１１１】
【発明の効果】
以上説明したように、この発明によれば、画像処理動作が複雑となったり、新たな第２の記憶手段が必要となってコストアップを招くことなく、記憶手段に画像データを蓄積中に、当該記憶手段が容量を越えた場合に、所定の画像が形成されていない不本位な用紙が出力されるのを防止することが可能な画像処理装置を提供することができる。
【図面の簡単な説明】
【図１】  図１はこの発明の実施の形態１に係る画像処理装置を示すブロック図である。
【図２】  図２はこの発明の実施の形態１に係る画像処理装置を適用した画像形成装置としてのデジタルカラー複写機を示す構成図である。
【図３】  図３はこの発明の実施の形態１に係る画像処理装置を適用した画像形成装置としてのデジタルカラー複写機を示す構成図である。
【図４】  図４は画像読取装置を示す構成図である。
【図５】  図５（ａ）（ｂ）はこの発明の実施の形態１に係る画像処理装置を適用した画像形成装置としてのデジタルカラー複写機において、１１枚目の両面出力を行うときの画像出力順序をそれぞれ示す説明図である。
【図６】  図６はこの発明の実施の形態１に係る画像処理装置を適用した画像形成装置としてのデジタルカラー複写機において、両面出力を行うときの画像出力順序をそれぞれ示す説明図である。
【図７】  図７は両面印刷処理の動作を示すフロチャートである。
【図８】  図８はページ連写印刷処理の動作を示すフロチャートである。
【図９】  図９はページ連写印刷処理を示す説明図である。
【図１０】  図１０はＮ−アップ印刷処理の動作を示すフロチャートである。
【図１１】  図１１はＮ−アップ印刷処理の動作を示す説明図である。
【図１２】  図１２はＮ−アップ印刷処理の動作を示す説明図である。
【図１３】  図１３はＮ−アップ印刷処理の動作を示す説明図である。
【図１４】  図１４はポスター印刷処理の動作を示すフロチャートである。
【図１５】  図１５はポスター印刷処理の動作を示す説明図である。
【図１６】  図１６はシグニチャ印刷処理の動作を示すフロチャートである。
【図１７】  図１７はシグニチャ印刷処理の動作を示す説明図である。
【図１８】  図１８はこの発明の実施の形態１に係る画像処理装置の動作を示す図表である。
【符号の説明】
６４：ページバッファ（一時記憶手段）、６５：ハードディスク、６９：ＣＰＵ（制御手段）、７６：出力用の領域、７６ａ：出力用の領域（第１面用）、７６ｂ：出力用の領域（第２面用）。
【図１】
0004254026.tif 000002
【図２】
0004254026.tif 000003
【図３】
0004254026.tif 000004
【図４】
0004254026.tif 000005
【図５】
0004254026.tif 000006
【図６】
0004254026.tif 000007
【図７】
0004254026.tif 000008
【図８】
0004254026.tif 000009
【図９】
0004254026.tif 000010
【図１０】
0004254026.tif 000011
【図１１】
0004254026.tif 000012
【図１２】
0004254026.tif 000013
【図１３】
0004254026.tif 000014
【図１４】
0004254026.tif 000015
【図１５】
0004254026.tif 000016
【図１６】
0004254026.tif 000017
【図１７】
0004254026.tif 000018
【図１８】
0004254026.tif 000019